(57)【特許請求の範囲】
【請求項１】
流し台の天面部下にビルトインアルカリ整水器本体を設置し、同ビルトインアルカリ整水器本体により生成されたアルカリ水及び酸性水を吐出するアルカリ水吐水具及び酸性水吐水具をそれぞれ独立して設け、水道水の通水と止水とを切替える操作レバーを有するビルトインアルカリ整水器のカラン装置であって、水道水を前記操作レバーに導く第１の管と、前記操作レバーから前記ビルトインアルカリ整水器に導く第２の管と、前記アルカリ水吐水具へアルカリ水を供給するアルカリ水供給管と、前記酸性水吐水具へ酸性水を供給する酸性水供給管とを、前記アルカリ水吐水具と前記酸性水吐水具を支持するとともに前記天面部に形成された一穴の取付穴に固定された固定具内を挿通させるとともに、固定具の側面の所定の場所に形成された孔に酸性水吐水具と酸性水供給管を接続する継手を挿通させることを特徴とするビルトインアルカリ整水器のカラン装置。
【発明の詳細な説明】
【０００１】
【発明の属する技術分野】
本発明は、水の電気分解によりアルカリ水及び酸性水を生成するビルトインアルカリ整水器のカラン装置に関するものである。
【０００２】
【従来の技術】
近年、流し台の下に設置してキッチンを広く使えるようにしたビルトインアルカリ整水器が普及しつつある。
【０００３】
このアルカリ整水器で生成されるアルカリ水は、人体への有用性が確認されており、主として飲用・調理などに使用されている。また酸性水は美容効果（アストリンゼン）が確認されており、洗顔などに使用する場合もあるが、飲用に適していないため流し台に排出されている。
【０００４】
以下に図６及び図７を参照して、従来のビルトインアルカリ整水器のカラン装置について説明する。
【０００５】
図６及び図７は従来のビルトインアルカリ整水器のカラン装置の構造図であり、図６において、１はアルカリ水吐水具、２は酸性水吐水具、３は酸性水吐水具２を保持する台座、４はナット、５はアルカリ水吐水具１の根元に設けられた固定用のネジ、６は操作レバー、７は流し台の天面部で、流し台の天面部７にはアルカリ水吐水具１に取り付け用の穴８、及び酸性水吐水具２に取り付け用の穴９が形成されている。このビルトインアルカリ整水器の場合、流し台の天面部７に専用の二穴を形成し、それぞれにアルカリ水吐水具１の根元及び酸性水吐水具２への接続管を挿通し、さらに台座３をアルカリ水吐水具１と流し台の天面部７に挟み込んだ状態で、アルカリ水吐水具１の根元に設けられた固定用のネジ５にナット４を螺合して流し台の天面部７に固定されている。また、酸性水吐水具２は台座３に固定されている。
【０００６】
【発明が解決しようとする課題】
ところで、流し台のカラン装置取り付け用の穴は、一般的に一穴（φ３６〜φ３９）であるが、図６に示すカラン装置は、流し台の天面部７に専用の二穴を設けて固定する必要がある。このため、この種のビルトインアルカリ整水器を取り付ける場合、酸性水吐水具２の取付専用の穴（φ１０）を、別に流し台に加工する必要があり、一穴しか形成していない標準の流し台にそのまま取り付けることができず、また取付作業が非常に複雑でもある。
【０００７】
一方、このような問題点を解消したビルトインアルカリ整水器として、図７に示すカラン装置が一部において使用されている。このカラン装置では、アルカリ水吐水口２０−ａ及び酸性水吐水口２０−ｂが吐水管２０内部に配されており、アルカリ水吐水口２０−ａよりアルカリ水が、また酸性水吐水口２０−ｂより酸性水がそれぞれ吐水される。この場合、カラン装置は流し台の天面部７に一つの穴８のみで取り付けられている。
【０００８】
しかしながら、図７に示すビルトインアルカリ整水器のカラン装置の場合、アルカリ水吐水口２０−ａと酸性水吐水口２０−ｂが近接しており、またアルカリ水及び酸性水がほぼ同時に吐水されるため、使用する際に片方の吐水が邪魔になるなど使い勝手が悪い。
【０００９】
そこで本発明は、アルカリ水吐水具と酸性水吐水具とをそれぞれ独立して設けた従来のビルトインアルカリ整水器の利便性を保持しつつ、且つ流し台の天面部への取り付けが容易なビルトインアルカリ整水器のカラン装置を提供することを目的とする。
【００１０】
【課題を解決するための手段】
本発明は上記課題を解決するために、流し台の天面部下にビルトインアルカリ整水器本体を設置し、同ビルトインアルカリ整水器本体により生成されたアルカリ水及び酸性水を吐出するアルカリ水吐水具及び酸性水吐水具を前記天面部上に独立して設けたビルトインアルカリ整水器のカラン装置であって、前記流し台の天面部に一穴で前記アルカリ水吐水具及び酸性水吐水具を取り付け可能としたことを特徴とする。
【００１１】
これによって、従来のビルトインアルカリ整水器の利便性を保持しつつ、且つ一穴のみを設けた流し台天面部への取り付けが可能となる。
【００１２】
【発明の実施の形態】
請求項１記載の発明は、流し台の天面部下にビルトインアルカリ整水器本体を設置し、同ビルトインアルカリ整水器本体により生成されたアルカリ水及び酸性水を吐出するアルカリ水吐水具及び酸性水吐水具を前記天面部上にそれぞれ独立して設け、水道水の通水と止水とを切替える操作レバーを有するビルトインアルカリ整水器のカラン装置であって、水道水を前記操作レバーに導く第１の管と、前記操作レバーから前記ビルトインアルカリ整水器に導く第２の管と、前記アルカリ水吐水具へアルカリ水を供給するアルカリ水供給管と、前記酸性水吐水具へ酸性水を供給する酸性水供給管とを、前記アルカリ水吐水具と前記酸性水吐水具を支持するとともに前記天面部に形成された一穴の取付穴に固定された固定具内を挿通させるとともに、固定具の側面の所定の場所に形成された孔に酸性水吐水具と酸性水供給管を接続する継手を挿通させたもので、これによって、従来のビルトインアルカリ整水器の利便性を保持しつつ、且つ一穴のみを設けた流し台天面部への取り付けが可能となる。
【００１６】
以下、本発明の実施の形態について図面を参照しながら説明する。図１は本発明の実施の形態におけるビルトインアルカリ整水器のシステム構成図、図２は図１に示すビルトインアルカリ整水器の水の流れを示す説明図である。また図３、図４及び図５は、本発明におけるビルトインアルカリ整水器のカラン装置の具体例である。なお、本実施の形態においては、従来例で説明したビルトインアルカリ整水器の各部材に対応するものは同じ符号を付している。
【００１７】
図１及び図２を参照して、１００は流し台３００の下に設置されたビルトインアルカリ整水器本体、１０２は一端がビルトインアルカリ整水器本体１００に他端がビルトインアルカリ整水器のカラン装置２００に接続されたビルトインアルカリ整水器本体１００への水道水供給のための給水ホース、１１１はビルトインアルカリ整水器本体１００で生成された酸性水を排出するための排水ホース、１１２はビルトインアルカリ整水器１００の操作パネルである。ビルトインアルカリ整水器のカラン装置２００は、フレキシブル管３０１及び３０４によって水道水の給水栓３０２及びビルトインアルカリ整水器本体１００に接続されている。なお、３０３は水の逆流を防止する逆止弁を示す。
【００１８】
次に、以上のように構成されたビルトインアルカリ整水器について、図２を参照しながら、水の流れ及び動作について説明する。
【００１９】
図２において、１０３は活性炭及び特殊フィルタで構成された浄水カートリッジ、１０４は流量センサ、１０６は水を電気分解しアルカリ水と酸性水を生成する電解槽、１１０は排水をコントロールする電磁弁である。また、１０５、１０７、１０８はそれぞれ流路に設けられた管継ぎ手を示す。なお、本実施の形態におけるビルトインアルカリ整水器では、アルカリ水及び酸性水をほぼ同時にカランより吐水するアルカリモードと、ビルトインアルカリ整水器本体に内蔵された浄水カートリッジにより、水道水を濾過した浄水をカラン装置から吐水する浄水モードがあり、通常の使用時にはアルカリモードを用い、このようなモード切り替えは操作パネル１１２のスイッチ（図示せず）で行われる。
【００２０】
次いで、同図を参照して、水道水の給水栓３０２からの水の流れ、及び、電解槽１０６で生成されたアルカリ水及び酸性水の流れについて説明する。
【００２１】
アルカリ水及び酸性水を吐水するアルカリモードの場合、水道水の給水栓３０２より逆止弁３０３を経由してビルトインアルカリ整水器のカラン装置２００に供給された水道水は、図１に示す操作レバー６の操作により、ビルトインアルカリ整水器のカラン装置２００に内蔵された弁（図示せず）が開いて通水され、定流量弁１０１において一定以下の流量に抑えられ、給水ホース１０２によりビルトインアルカリ整水器本体１００へ供給される。
【００２２】
ビルトインアルカリ整水器本体１００に供給された水道水は、活性炭、特殊フィルタで構成される浄水カートリッジ１０３で濾過されて浄水となり、流量センサ１０４を経由し、分岐継ぎ手１０５で二つの経路に別れて電解槽１０６へ送られる。電解槽１０６では、流量センサ１０４で検知した水の流量に応じた直流電圧が白金チタン電極に印加され、水の電気分解により、陽極側で酸性水、陰極側でアルカリ水がそれぞれ生成される。
【００２３】
電解槽１０６で生成されたアルカリ水は、継ぎ手１０７及びアルカリ整水器本体吐水口１０９を経由してフレキシブル管３０４でビルトインアルカリ整水器のカラン装置２００へ入り、アルカリ水吐水具１より吐水される。また、同じく電解槽１０６で生成された酸性水は、継ぎ手１０８及び弁開状態の電磁弁１１０を経由し、排水ホース１１１でビルトインアルカリ整水器のカラン装置２００へ送られ、酸性水吐水具２より吐水される。なお、アルカリ水と酸性水の流量比率は、電解槽１０６の入り口側の分岐継ぎ手１０５、及び電解槽１０６の出口側の継ぎ手１０７，１０８により、およそ４（アルカリ水）：１（酸性水）に調整される。またアルカリ水のｐＨ調整は、電解槽１０６の白金チタン電極に印加する直流電圧の設定により４段階の設定が可能であり、これは操作パネル１１２のスイッチにて行われる。
【００２４】
一方、浄水を吐水する浄水モードの場合、水道水の給水栓３０２よりビルトインアルカリ整水器のカラン装置２００に入った水道水は、アルカリモードの場合と同じように、ビルトインアルカリ整水器本体１００へ送られ、浄水カートリッジ１０３で濾過され浄水となり電解槽１０６へ送られる。しかし、浄水モードの場合、電解槽電極への直流電圧は印加されず、水の電気分解は行われない。また、電磁弁１１０は閉じており、酸性水側通水路は止水されている。電解槽１０６へ送られた浄水は、浄水のまま継ぎ手１０７及びアルカリ整水器本体吐水口１０９を経由してフレキシブル管３０４で、ビルトインアルカリ整水器のカラン装置２００へ入り、アルカリ水吐水具１より吐水される。
【００２５】
次いで、図３、図４、図５を参照して、上記ビルトインアルカリ整水器のカラン装置について説明する。
【００２６】
図３は図１に示すビルトインアルカリ整水器のカラン装置を一部切り欠いて示す正面図である。同図において、１１はアルカリ水吐水具１の下に配された酸性水吐水具ベースで、この酸性水吐水具ベース１１にアルカリ水吐水具１及び酸性水吐水具２が取り付られている。５はアルカリ水吐水具１の根元に一体に設けられた固定用のネジで、ネジ５の内部にはカラン装置水管が挿通可能な空間が形成され、外周にはナット４に螺合可能な雄ネジが形成されている。またネジ５の上部側面には長孔５−ａが設けられている。
【００２７】
さらに、１０は排水ホース１１１に接続された中継ホース、１２は中継ホース１０と酸性水吐水具２に両端が接続された中継継ぎ手である。また中継継ぎ手１２の中継ホース１０側は、アルカリ水吐水具１の根元に設けられた固定用のネジ５の長孔５−ａ内を貫通して中継ホース１０と接続されている。
【００２８】
従って、ネジ５の内部空間に、アルカリ水吐水具１にアルカリ水を供給するフレキシブル管３０４、及び酸性水吐水具２に酸性水を供給する中継ホース１０を挿通させた状態で、ネジ５は流し台の天面部７に設けられた取付穴８の一穴でナット４により固定されている。
【００２９】
図４は他の実施の形態のカラン装置を一部切り欠いて示す正面図で、本実施の形態では、アルカリ水吐水具１の下に配された酸性水吐水具ベース１１に雌ネジ１１−ａを形成し、この雌ネジ１１−ａとアルカリ水吐水具１の根元に設けられた固定用のネジ５により、アルカリ水吐水具１を固定している。このような構造にすることによって、図３のものと比べ、特にアルカリ水吐水具１と酸性水吐水具２が着脱可能な別部材でありながら、ビルトインアルカリ整水器のカラン装置として、一体化が可能となり、施工性等が容易となる。
【００３０】
この場合、酸性水吐水具ベース１１の下部にカラン装置固定用の雄ネジ１１−ｂが設けられ、また、図３の場合と同様に、雄ネジ１１−ｂに長孔１１−ｃが設けられている。これによって、中継継ぎ手１２は中継ホース１０側で長孔１１−ｃを貫通して配されており、流し台の天面部７に設けられた取付穴８の一穴のみで、ナット４により流し台に固定される。
【００３１】
なお、図３及び図４を用いて説明したビルトインアルカリ整水器のカラン装置の場合、ビルトインアルカリ整水器専用のカラン装置であるが、図５に示すような、湯・水を使用する混合タイプの場合にも本発明のビルトインアルカリ整水器のカラン装置を適用することができる。
【００３２】
【発明の効果】
本発明によって以下の効果を奏することができる。
【００３３】
請求項１記載の発明によって、流し台に形成された一穴でカラン装置の取付が可能となり、一般的な流し台への汎用性を高め、かつ流し台への取付作業の簡素化および時間短縮が可能である。
【図面の簡単な説明】
【図１】本発明の実施の形態におけるビルトインアルカリ整水器のシステム構成図
【図２】図１に示すビルトインアルカリ整水器の水の流れを示す説明図
【図３】図１に示すビルトインアルカリ整水器のカラン装置を一部切り欠いて示す正面図
【図４】他の実施の形態のカラン装置を一部切り欠いて示す正面図
【図５】他の実施の形態のカラン装置を一部切り欠いて示す正面図
【図６】従来のビルトインアルカリ整水器のカラン装置の構造図
【図７】従来のビルトインアルカリ整水器のカラン装置の構造図
【符号の説明】
１  アルカリ水吐水具
２  酸性水吐水具
３  台座
４  ナット
５  ネジ
５−ａ  長孔
６  操作レバー
７  流し台の天面部
８  穴
９  穴
１０  中継ホース
１１  酸性水吐水具ベース
１１−ａ  雌ネジ
１１−ｂ  雄ネジ
１１−ｃ  長孔
１２  中継継ぎ手
２０  吐水管
２０−ａ  アルカリ水吐水口
２０−ｂ  酸性水吐水口
１２  中継継ぎ手
１００  ビルトインアルカリ整水器本体
１０１  定流量弁
１０２  給水ホース
１０３  浄水カートリッジ
１０４  流量センサ
１０５  分岐継ぎ手
１０６  電解槽
１０７  継ぎ手
１０８  継ぎ手
１０９  アルカリ整水器本体吐水口
１１０  電磁弁
１１１  排水ホース
１１２  操作パネル
２００  ビルトインアルカリ整水器のカラン装置
３００  流し台
３０１  フレキシブル管
３０２  水道水の給水栓
３０３  逆止弁
３０４  フレキシブル管
【図１】
0003740752.tif 000002
【図２】
0003740752.tif 000003
【図３】
0003740752.tif 000004
【図４】
0003740752.tif 000005
【図５】
0003740752.tif 000006
【図６】
0003740752.tif 000007
【図７】
0003740752.tif 000008